(57)【要約】【課題】バイアル容器用トレイから保護キャップが被せられたバイアル容器を取出した後、バイアル容器本体に収容された薬剤を、いつでもすばやく使用できるようにする。【解決手段】バイアル容器を保持するバイアル容器用トレイであって、前記バイアル容器を保持するバイアル容器保持部と、前記バイアル容器の蓋部に被せられた保護キャップを取外す保護キャップ取外し部とを備えてなることを特徴とするバイアル容器用トレイ。【選択図】　　　　　図１
2004033607.tif 000002
【特許請求の範囲】
【請求項１】
バイアル容器を保持するバイアル容器用トレイであって、
前記バイアル容器を保持するバイアル容器保持部と、前記バイアル容器の蓋部に被せられた保護キャップを取外す保護キャップ取外し部とを備えてなることを特徴とするバイアル容器用トレイ。
【発明の詳細な説明】
【０００１】
【発明の属する技術分野】
本発明は、バイアル容器用トレイに関する。
【０００２】
【従来の技術】
従来からよく知られているバイアル容器は、薬剤を収容するバイアル容器本体と、バイアル容器本体の開口に打栓されたゴム栓およびアルミ製のフリップオフキャップからなる蓋部とを備えており、前記フリップオフキャップは、前記ゴム栓および前記バイアル容器の開口近傍に巻き締められている。
バイアル容器は、バイアル容器本体に薬剤が収容され、蓋部が取りつけられた後、ゴミなどの不純物が蓋部に付着するのを防ぐために、蓋部に保護キャップがきっちり被せられる。蓋部に保護キャップが被せられたバイアル容器は、バイアル容器の保持部を備えるバイアル容器用トレイに保持されて、輸送、保存される。バイアル容器に収容されている薬剤を使用する際は、蓋部に被せられた保護キャップを取外す必要があるが、保護キャップは蓋部にきっちりと被せられているため、通常、取外し器具を用いて取外したり、手でむりやり取外したりしている。
【０００３】
ところが、保護キャップが被せられたバイアル容器をバイアル容器用トレイから取り出した後、バイアル容器本体中に収容されている薬剤を使用しようとしても、取外し器具が見当たらなかったり、他人が使用しているためそれがあくのを待たなければならないといった事態が起こりうる。また、手でむりやり取外す場合、手指が不自由な人では取外しが不可能なこともある。すなわち、バイアル容器用トレイから保護キャップが被せられたバイアル容器を取出した後、ただちにバイアル容器本体に収容されている薬剤を使用できない場合が起こりうる。
このような事態は、例えば、救急治療現場において緊急に注射をする必要がある患者に最悪の結果を起こすことにもなりかねない。
【０００４】
【発明が解決しようとする課題】
そこで本発明は、上記の問題点に鑑み、バイアル容器用トレイから保護キャップが被せられたバイアル容器を取出した後、バイアル容器本体に収容された薬剤を、いつでもすばやく使用できるようにすることを課題とする。
【０００５】
【課題を解決するための手段】
上記課題を解決するために、本発明は、バイアル容器を保持するバイアル容器用トレイであって、
前記バイアル容器を保持するバイアル容器保持部と、前記バイアル容器の蓋部に被せられた保護キャップを取外す保護キャップ取外し部とを備えてなることを特徴とするバイアル容器用トレイを提供する。
【０００６】
本発明のバイアル容器用トレイは、バイアル容器保持部と、前記バイアル容器の蓋部に被せられた保護キャップを取外す保護キャップ取外し部とを備えてなるので、バイアル容器をバイアル容器保持部から取り出した後、いつでもただちに、バイアル容器用トレイに備えられた保護キャップ取外し部によって、保護キャップを取外すことができる。
【発明の実施の形態】
【０００７】
以下、本発明の実施の形態について図面を参酌しつつ説明する。
図１は、本発明のバイアル容器用トレイ１の第１の実施の形態を示す斜視図であり、図２は、図１に示されたバイアル容器用トレイ１の平面図であり、図３は、バイアル容器７が挿入された保護キャップ取外し部２の縦断面図である。
【０００８】
本実施の形態のバイアル容器用トレイ１は、１枚の透明プラスチック板からインジェクション成形によって扁平箱状に一体成形されており、トレイ上面４が正方形で閉塞しており、トレイ底面６が開口している。
【０００９】
バイアル容器用トレイ１のトレイ上面４の四隅近傍には、バイアル容器７の底部を挿入して立てかけることによりバイアル容器７を保持すべく、下方に向かって円柱状に凹入したバイアル容器保持部３が形成されている。
【００１０】
さらに、２個のバイアル容器保持部３の間にはそれぞれ１個ずつ、保護キャップ８が被せられたバイアル容器７の蓋部７０１を挿入することのできる挿入部２０１と、該挿入部２０１に挿入された蓋部７０１に被せられた保護キャップ８を引掛けて取外すことのできる引掛け爪部２０２とからなる保護キャップ取外し部２が形成されている。
挿入部２０１は、保護キャップ８が被せられたバイアル容器７の蓋部７０１をトレイ側面５から挿入できるように、トレイ側面５が切り欠かれて形成されている。
引掛け爪部２０２は、挿入部２０１の内周面から内方に突出して形成されている。引掛け爪部２０２は、保護キャップ８をバイアル容器７から取外すことのできる手段であれば如何なるものでもよく、例えば、挿入部２０１の周壁の下部に穴を設けることにより、その上端部が引掛け爪部２０２として形成されていてもよい。
【００１１】
次に、本実施の形態のバイアル容器用トレイ１に備えられた保護キャップ取外し部２を使用して、バイアル容器７の蓋部７０１に被せられた保護キャップ８を取外す方法を説明する。
まず、蓋部７０１に保護キャップ８が被せられたバイアル容器７を、保護キャップ８を下にして、蓋部７０１側をトレイ側面５からバイアル容器用トレイ１の保護キャップ取外し部２の挿入部２０１に挿入する。
次いで、バイアル容器７を、バイアル容器用トレイ１の外側（ａ方向）に向けて傾ける。傾けられたバイアル容器７は、保護キャップ８の端部８０１が引掛け爪部２０２に引掛り、そのまま続けてバイアル容器７を傾けていくと、保護キャップ８は、引掛け爪部２０２によって動きが停められているため、バイアル容器７だけが傾いていき、ついには保護キャップ８がバイアル容器７から取外され、保護キャップ８だけが保護キャップ取外し部２内に残される。
【００１２】
図４は、本発明のバイアル容器用トレイの第２の実施の形態を示す斜視図である。
この実施の形態において保護キャップ取外し部２は、バイアル容器用トレイ１のトレイ上面４の中心部に、上方に向かって突出して形成された略四角柱形状の凸状部９に、下方に向かって凹入して形成されている。
なお、本実施形態では、前記凸状部９の四隅がバイアル容器７をバイアル容器保持部３に保持させる時にじゃまにならないように切り欠かれている。
【００１３】
図５は、本発明のバイアル容器用トレイの第３の実施の形態を示す平面図である。
この実施の形態においては、平面形状が長方形のバイアル容器用トレイ１のトレイ上面４に、保護キャップ取外し部２およびバイアル容器保持部３が長手方向に一列に並んで形成されている。
【００１４】
本発明のバイアル容器用トレイの材料は特に限定されず、プラスチック板の他紙等一般にバイアル容器用トレイの材料として用いられているものが使用できる。バイアル容器用トレイの成形方法も特に限定されず、一般にバイアル容器用トレイの成形方法として採用されている方法を採用することができる。またバイアル容器用トレイは、一体成形で得てもよいし、部品を組み合わせて得てもよい。
【００１５】
本発明のバイアル容器用トレイにおいて、その平面形状は特に限定されず、正方形の他、長方形、円形、多角形などあらゆる形状とすることができる。
バイエル容器保持部および保護キャップ取外し部の形状、配置、数も特に限定されず、形状として、円柱、角柱などあらゆる形状とすることができる。
【００１６】
【発明の効果】
本発明のバイアル容器用トレイは、バイアル容器用トレイから保護キャップが被せられたバイアル容器を取出した後、バイアル容器本体に収容された薬剤を、いつでもすばやく使用できるという効果を奏する。
【図面の簡単な説明】
【図１】本発明のバイアル容器用トレイの第１の実施の形態を示す斜視図。
【図２】図１のバイアル容器用トレイの平面図。
【図３】バイアル容器が挿入された保護キャップ取外し部の縦断面図。
【図４】本発明のバイアル容器用トレイの第２の実施の形態を示す斜視図。
【図５】本発明のバイアル容器用トレイの第３の実施の形態を示す平面図。
【符号の説明】
１…バイアル容器用トレイ、２…保護キャップ取外し部、３…バイアル容器保持部、７…バイアル容器、７０１…バイアル容器の蓋部、８…保護キャップ
【図１】
2004033607.tif 000003
【図２】
2004033607.tif 000004
【図３】
2004033607.tif 000005
【図４】
2004033607.tif 000006
【図５】
2004033607.tif 000007